(57)【要約】【課題】  表示の停止に際してオフシーケンス処理が実行される構成において上位装置から入力されたコマンドを有効に取り扱う。【解決手段】  制御装置６０は、データ線駆動回路５１および走査線駆動回路５２を制御するための駆動制御パラメータを含むパラメータ群を記憶するレジスタ６５と、レジスタ６５に記憶されたパラメータ群をコマンドに基づいて更新する一方、リセット信号ＲＥＳが入力されるとレジスタ６５のパラメータ群を初期値に更新するパラメータ管理手段６３と、レジスタ６５に記憶された駆動制御パラメータに基づいてデータ線駆動回路５１および走査線駆動回路５２を制御する駆動制御手段６３とを具備する。駆動制御手段６３は、リセット信号ＲＥＳによりパラメータ管理手段６３がパラメータ群を更新した後に、複数の画素３１の各々に対して非点灯電圧が印加されるようにデータ線駆動回路５１および走査線駆動回路５２を制御する。【選択図】        図１
2005266573.tif 000002
【特許請求の範囲】
【請求項１】
複数の走査線と複数のデータ線との交差に対応して配列された複数の画素と、前記複数
の走査線の各々を順次に選択する垂直走査を実行するとともに当該走査線に対応する各画
素に対して表示内容に応じたデータ電圧を印加する駆動回路とを具備する電気光学装置を
制御する装置において、
前記駆動回路の動作を制御するための駆動制御パラメータを含むパラメータ群を記憶す
る記憶手段と、
前記パラメータ群の変更を指示するコマンドおよび表示の停止を指示するリセット信号
が入力される入力手段と、
前記コマンドが前記入力手段に入力されると、前記記憶手段に記憶されたパラメータ群
をそのコマンドに基づいて更新する一方、前記リセット信号が前記入力手段に入力される
と、前記記憶手段に記憶されたパラメータ群を初期値に更新するパラメータ管理手段と、
前記記憶手段に記憶された駆動制御パラメータに基づいて前記駆動回路を制御する手段
であって、前記リセット信号の入力により前記パラメータ管理手段が前記パラメータ群を
更新した後に、前記複数の画素の各々に対して非点灯電圧が印加されるように前記駆動回
路を制御する駆動制御手段と
を具備する制御装置。
【請求項２】
複数の走査線と複数のデータ線との交差に対応して配列された複数の画素と、前記複数
の走査線の各々を順次に選択する垂直走査を実行するとともに当該走査線に対応する各画
素に対して表示内容に応じたデータ電圧を印加する駆動回路とを具備する電気光学装置を
制御する装置において、
前記駆動回路の動作を制御するための駆動制御パラメータを含むパラメータ群を記憶す
る記憶手段と、
前記パラメータ群の変更を指示するコマンドおよび表示の停止を指示するリセット信号
が入力される入力手段と、
前記コマンドが前記入力手段に入力されると、前記記憶手段に記憶されたパラメータ群
をそのコマンドに基づいて更新する一方、前記リセット信号が前記入力手段に入力される
と、前記記憶手段に記憶されたパラメータ群のうち駆動制御パラメータ以外のパラメータ
を初期値に更新するパラメータ管理手段と、
前記記憶手段に記憶された駆動制御パラメータに基づいて前記駆動回路を制御する手段
であって、前記リセット信号の入力により前記パラメータ管理手段が前記パラメータ群を
更新した後に、前記複数の画素の各々に対して非点灯電圧が印加されるように前記駆動回
路を制御する駆動制御手段と
を具備する制御装置。
【請求項３】
前記駆動制御手段は、前記複数の画素のうち第１のグループに属する各画素への印加電
圧と当該第１のグループとは異なる第２のグループに属する各画素への印加電圧とが逆極
性となり、かつ、各画素への印加電圧の極性が所定の期間ごとに反転するように前記駆動
回路を制御する一方、前記リセット信号が前記入力手段に入力されると、その入力の時点
にて実行されている垂直走査を中断して最初の走査線からの新たな垂直走査を前記駆動回
路に開始させるとともに、この新たな垂直走査において、前記中断した垂直走査にて当該
中断前に選択された走査線に対応する各画素には当該中断した垂直走査にて印加された電
圧とは逆極性の非点灯電圧が印加され、かつ、前記中断した垂直走査にて当該中断後に選
択されるべきであった走査線に対応する各画素には当該中断した垂直走査の直前の垂直走
査にて当該各画素に印加された電圧とは逆極性の非点灯電圧が印加されるように前記駆動
回路を制御する
ことを特徴とする請求項１または２に記載の制御装置。
【請求項４】
複数の走査線と複数のデータ線との交差に対応して配列された複数の画素と、前記複数
の走査線の各々を順次に選択する垂直走査を実行するとともに当該走査線に対応する各画
素に対して表示内容に応じたデータ電圧を印加する駆動回路とを具備する電気光学装置を
制御する装置において、
表示の停止を指示するリセット信号が入力される入力手段と、
前記複数の画素のうち第１のグループに属する各画素への印加電圧と当該第１のグルー
プとは異なる第２のグループに属する各画素への印加電圧とが逆極性となり、かつ、各画
素への印加電圧の極性が所定の期間ごとに反転するように前記駆動回路を制御する一方、
前記リセット信号が前記入力手段に入力されると、その入力の時点にて実行されている垂
直走査を中断して最初の走査線からの新たな垂直走査を前記駆動回路に開始させるととも
に、この新たな垂直走査において、前記中断した垂直走査にて当該中断前に選択された走
査線に対応する各画素には当該中断した垂直走査にて印加された電圧とは逆極性の非点灯
電圧が印加され、かつ、前記中断した垂直走査にて当該中断後に選択されるべきであった
走査線に対応する各画素には当該中断した垂直走査の直前の垂直走査にて当該各画素に印
加された電圧とは逆極性の非点灯電圧が印加されるように前記駆動回路を制御する駆動制
御手段と
を具備する制御装置。
【請求項５】
複数の走査線と複数のデータ線との交差に対応して配列された複数の画素と、
前記複数の走査線の各々を順次に選択する垂直走査を実行するとともに当該走査線に対
応する各画素に対して表示内容に応じたデータ電圧を印加する駆動回路と、
請求項１から４の何れかに記載の制御装置と
を具備する電気光学装置。
【請求項６】
請求項５に記載の電気光学装置を表示装置として具備する電子機器。
【請求項７】
複数の走査線と複数のデータ線との交差に対応して配列された複数の画素と、前記複数
の走査線の各々を順次に選択する垂直走査を実行するとともに当該走査線に対応する各画
素に対して表示内容に応じたデータ電圧を印加する駆動回路とを具備する電気光学装置を
制御する方法において、
前記駆動回路の動作を制御するための駆動制御パラメータを含むパラメータ群の変更を
指示するコマンドが入力されると、記憶手段に記憶された前記パラメータ群をそのコマン
ドに基づいて更新する一方、表示の停止を指示するリセット信号が入力されると、前記記
憶手段に記憶されたパラメータ群を初期値に更新し、
前記記憶手段に記憶された駆動制御パラメータに基づいて前記駆動回路を制御する一方
、前記リセット信号の入力により前記パラメータ群が更新された後に、前記複数の画素の
各々に対して非点灯電圧が印加されるように前記駆動回路を制御する制御方法。
【請求項８】
複数の走査線と複数のデータ線との交差に対応して配列された複数の画素と、前記複数
の走査線の各々を順次に選択する垂直走査を実行するとともに当該走査線に対応する各画
素に対して表示内容に応じたデータ電圧を印加する駆動回路とを具備する電気光学装置を
制御する方法において、
前記駆動回路の動作を制御するための駆動制御パラメータを含むパラメータ群の変更を
指示するコマンドが入力されると、記憶手段に記憶されたパラメータ群をそのコマンドに
基づいて更新する一方、表示の停止を指示するリセット信号が入力されると、前記記憶手
段に記憶されたパラメータ群のうち駆動制御パラメータ以外のパラメータを初期値に更新
し、
前記記憶手段に記憶された駆動制御パラメータに基づいて前記駆動回路を制御する一方
、前記リセット信号の入力により前記パラメータ群が更新された後に、前記複数の画素の
各々に対して非点灯電圧が印加されるように前記駆動回路を制御する制御方法。
【請求項９】
複数の走査線と複数のデータ線との交差に対応して配列された複数の画素と、前記複数
の走査線の各々を順次に選択する垂直走査を実行するとともに当該走査線に対応する各画
素に対して表示内容に応じたデータ電圧を印加する駆動回路とを具備する電気光学装置を
制御する方法において、
前記複数の画素のうち第１のグループに属する各画素への印加電圧と当該第１のグルー
プとは異なる第２のグループに属する各画素への印加電圧とが逆極性となり、かつ、各画
素への印加電圧の極性が所定の期間ごとに反転するように前記駆動回路を制御する一方、
表示の停止を指示するリセット信号が入力されると、その入力の時点にて実行されてい
る垂直走査を中断して最初の走査線からの新たな垂直走査を前記駆動回路に開始させると
ともに、この新たな垂直走査において、前記中断した垂直走査にて当該中断前に選択され
た走査線に対応する各画素には当該中断した垂直走査にて印加された電圧とは逆極性の非
点灯電圧が印加され、かつ、前記中断した垂直走査にて当該中断後に選択されるべきであ
った走査線に対応する各画素には当該中断した垂直走査の直前の垂直走査にて当該各画素
に印加された電圧とは逆極性の非点灯電圧が印加されるように前記駆動回路を制御する制
御方法。
【発明の詳細な説明】
【技術分野】
【０００１】
本発明は、液晶などの電気光学物質を用いて画像を表示する技術に関する。
【背景技術】
【０００２】
液晶装置に代表される電気光学装置においては、複数の走査線と複数のデータ線との各
交差に対応して配置された複数の画素が駆動回路（例えば走査線駆動回路およびデータ線
駆動回路）によって駆動される。この電気光学装置に適用される技術として、例えば特許
文献１には、レジスタに書き込まれた種々のパラメータに基づいて駆動回路を制御する技
術が開示されている。レジスタに記憶されたパラメータは、上位装置（例えば液晶装置が
搭載された電子機器のＣＰＵなど）から入力されたコマンドに応じて適宜に変更される。
この種の電気光学装置においては、電子機器の電池が取り外された場合など突発的な事情
により表示を停止せざるを得ない場合がある。このような場合には、表示の停止を指示す
るコマンドが上位装置から入力され、このコマンドに応じてパラメータが初期値にリセッ
トされた後に表示が停止される。
【０００３】
また、特に電気光学物質として液晶を採用した液晶装置においては、画像の表示が停止
された後にも画素（より詳細には液晶容量）に電荷が残留する場合が生じ得る。このよう
に残留した電荷によって液晶に直流電圧が印加され続けると、液晶の配向方向が所期の方
向とは異なる方向に変化し、これにより表示品位の低下が引き起こされる。この問題を解
決するために、例えば特許文献２に開示された構成においては、表示の停止に際して総て
の画素にオフ電圧を印加する処理（以下「オフシーケンス処理」という）が実行されるよ
うになっている。この構成によれば、画素に蓄積された電荷が表示の停止前に放電される
から、直流電圧の印加による液晶の特性の劣化は抑制される。
【特許文献１】特開２００３−２６３１３４号公報（段落００４３および図２）
【特許文献２】特開平９−２６９４７６号公報（段落００１８および図３）
【発明の開示】
【発明が解決しようとする課題】
【０００４】
特許文献１に記載された構成のもとでも、表示の停止が指示されてからオフシーケンス
処理が実行されたうえでパラメータが初期値にリセットされ、その後に表示が停止される
ことが望ましい。しかしながら、この構成のもとでは、オフシーケンス処理の完了後にパ
ラメータが初期化されることとなる。したがって、オフシーケンスが開始されてから完了
するまでの間に上位装置からパラメータを変更するコマンドが入力されて当該パラメータ
が変更されたとしても、このパラメータは当該オフシーケンス後にリセットされてしまう
からコマンドを有効に反映させることができない。特に、表示の停止を指示するコマンド
が突発的に入力される場合の多くは緊急的な事態が発生したときであり、その状態を解消
するための他のコマンドが立て続けに入力される可能性が高いから、オフシーケンス処理
の全期間にわたってコマンドを有効に受け付けることができない構成のもとでは重大な問
題を引き起こしかねない。本発明は、このような事情に鑑みてなされたものであり、表示
の停止に際してオフシーケンス処理が実行される構成のもとでも上位装置から入力された
コマンドを有効に取り扱うことができる仕組みを提供することを目的としている。
【課題を解決するための手段】
【０００５】
上述した課題を解決するために、本発明に係る制御装置は、表示の停止を指示するリセ
ット信号が入力されると、まず記憶手段に記憶されたパラメータ群の初期化が実行され、
その後にオフシーケンス処理が実行されるようになっている。この構成によれば、オフシ
ーケンス処理に先立ってパラメータ群の初期化が実行されるから、オフシーケンス処理の
途中で上位装置からパラメータの変更を指示するコマンドが入力されたとしても、このコ
マンドを有効にパラメータ群に反映させることができる。
【０００６】
より具体的には、本発明に係る制御装置は、複数の走査線と複数のデータ線との交差に
対応して配列された複数の画素と、複数の走査線の各々を順次に選択する垂直走査を実行
するとともに当該走査線に対応する各画素に対して表示内容に応じたデータ電圧を印加す
る駆動回路（例えば走査線駆動回路およびデータ線駆動回路）とを具備する電気光学装置
を制御する装置において、駆動回路の動作を制御するための駆動制御パラメータを含むパ
ラメータ群を記憶する記憶手段と、パラメータ群の変更を指示するコマンドおよび表示の
停止を指示するリセット信号が入力される入力手段と、コマンドが入力手段に入力される
と、記憶手段に記憶されたパラメータ群をそのコマンドに基づいて更新する一方、リセッ
ト信号が入力手段に入力されると、記憶手段に記憶されたパラメータ群を初期値に更新す
るパラメータ管理手段と、記憶手段に記憶された駆動制御パラメータに基づいて駆動回路
を制御する手段であって、リセット信号の入力によりパラメータ管理手段がパラメータ群
を更新した後に、複数の画素の各々に対して非点灯電圧が印加されるように駆動回路を制
御する駆動制御手段とを具備することにある。この構成によれば、リセット信号の入力に
よりパラメータ群が初期化された後にオフシーケンス処理が実行されるから、オフシーケ
ンス処理の途中で上位装置からコマンドが入力されたとしても、このコマンドによる変更
の指示をパラメータに対して有効に反映させることができる。
【０００７】
ところで、電気光学装置は種々の型式の電子機器の表示装置として汎用される場合があ
る。このため、記憶手段に記憶された初期値により当該電子機器にとって最適な駆動条件
となる場合もあれば、初期値にて想定された型式とは異なる電子機器に採用されているた
めに当該初期値によっては最適な駆動条件とならない場合もある。後者の場合には、パラ
メータ群が所定の初期値にリセットされた後、これらのパラメータ群が当該電子機器に対
して固有に選定されたパラメータに更新されることが必要となる。このように駆動制御パ
ラメータとして固有値が利用される構成のもとでは、表示の停止に際して駆動制御パラメ
ータが初期値にリセットされると、その後のオフシーケンス処理を最適な駆動条件にて実
行することが妨げられる結果となる。この問題を解消するために、本発明に係る制御装置
の第２の特徴は、複数の走査線と複数のデータ線との交差に対応して配列された複数の画
素と、複数の走査線の各々を順次に選択する垂直走査を実行するとともに当該走査線に対
応する各画素に対して表示内容に応じたデータ電圧を印加する駆動回路とを具備する電気
光学装置を制御する装置において、駆動回路の動作を制御するための駆動制御パラメータ
を含むパラメータ群を記憶する記憶手段と、パラメータ群の変更を指示するコマンドおよ
び表示の停止を指示するリセット信号が入力される入力手段と、コマンドが入力手段に入
力されると、記憶手段に記憶されたパラメータ群をそのコマンドに基づいて更新する一方
、リセット信号が入力手段に入力されると、記憶手段に記憶されたパラメータ群のうち駆
動制御パラメータ以外のパラメータを初期値に更新するパラメータ管理手段と、記憶手段
に記憶された駆動制御パラメータに基づいて駆動回路を制御する手段であって、リセット
信号の入力によりパラメータ管理手段がパラメータ群を更新した後に、複数の画素の各々
に対して非点灯電圧が印加されるように駆動回路を制御する駆動制御手段とを具備するこ
とにある。この構成によれば、リセット信号が入力されると、パラメータ群のうち電気光
学装置の駆動に関わる駆動制御パラメータ以外のパラメータのみが更新され、駆動制御パ
ラメータは固有値のまま維持されるから、その後のオフシーケンス処理を最適な駆動条件
にて実行することが可能となる。
【０００８】
本発明における駆動制御手段は、具体的には、複数の画素のうち第１のグループに属す
る各画素への印加電圧と当該第１のグループとは異なる第２のグループに属する各画素へ
の印加電圧とが逆極性となり、かつ、各画素への印加電圧の極性が所定の期間ごとに反転
するように駆動回路を制御する。例えば、各走査線に対応する１行分の画素ごとに印加電
圧の極性を反転させる（いわゆるＨライン反転）といった具合である。この構成のもとで
垂直走査の最中にリセット信号が入力されると、その入力の時点にて実行されている垂直
走査が中断されて最初の走査線からの新たな垂直走査が開始されることによってオフシー
ケンス処理が実現される。しかしながら、リセット信号の入力後に通常の駆動状態と同様
の垂直走査が実行されるとすれば、中断された垂直走査に際して当該中断後に選択される
べきであった走査線に対応する各画素に対して連続して同極性の電圧が印加される可能性
がある（図７参照）。このようにオフシーケンス処理に際して各画素に印加される電圧が
直前の印加電圧と同極性である場合には、たとえ各画素に対して非点灯電圧が印加される
としても、その画素に蓄積された電荷を充分に放電することができない。そこで、本発明
の望ましい態様において、駆動制御手段は、リセット信号が入力手段に入力されると、そ
の入力の時点にて実行されている垂直走査を中断して最初の走査線からの新たな垂直走査
を駆動回路に開始させるとともに、この新たな垂直走査において、中断した垂直走査にて
当該中断前に選択された走査線に対応する各画素には当該中断した垂直走査にて印加され
た電圧とは逆極性の非点灯電圧が印加され、かつ、中断した垂直走査にて当該中断後に選
択されるべきであった走査線に対応する各画素には当該中断した垂直走査の直前の垂直走
査にて当該各画素に印加された電圧とは逆極性の非点灯電圧が印加されるように駆動回路
を制御する（図８参照）。この態様によれば、リセット信号の入力により垂直走査が中断
されたとしても、オフシーケンス処理に際して各画素に印加される電圧は、当該画素に直
前に印加された電圧とは逆極性の電圧となる。したがって、各画素に蓄積された電荷を充
分に放電させることができるから、直流電圧の印加に起因した電気光学物質の劣化を抑制
することができる。
【０００９】
この観点に基づく本発明の第３の特徴は、複数の走査線と複数のデータ線との交差に対
応して配列された複数の画素と、複数の走査線の各々を順次に選択する垂直走査を実行す
るとともに当該走査線に対応する各画素に対して表示内容に応じたデータ電圧を印加する
駆動回路とを具備する電気光学装置を制御する装置において、表示の停止を指示するリセ
ット信号が入力される入力手段と、複数の画素のうち第１のグループに属する各画素への
印加電圧と当該第１のグループとは異なる第２のグループに属する各画素への印加電圧と
が逆極性となり、かつ、各画素への印加電圧の極性が所定の期間ごとに反転するように駆
動回路を制御する一方、リセット信号が入力手段に入力されると、その入力の時点にて実
行されている垂直走査を中断して最初の走査線からの新たな垂直走査を駆動回路に開始さ
せるとともに、この新たな垂直走査において、中断した垂直走査にて当該中断前に選択さ
れた走査線に対応する各画素には当該中断した垂直走査にて印加された電圧とは逆極性の
非点灯電圧が印加され、かつ、中断した垂直走査にて当該中断後に選択されるべきであっ
た走査線に対応する各画素には当該中断した垂直走査の直前の垂直走査にて当該各画素に
印加された電圧とは逆極性の非点灯電圧が印加されるように駆動回路を制御する駆動制御
手段とを具備することにある。この構成によれば、オフシーケンス処理に際して各画素に
印加される電圧を、当該画素に対して直前に印加された電圧とは逆極性の電圧とすること
ができるから、各画素に蓄積された電荷を充分に放電させて電気光学物質の劣化を抑制す
ることができる。
【００１０】
本発明は、以上に説明した第１ないし第３の特徴を有する制御装置を備えた電気光学装
置としても特定される。すなわち、この電気光学装置は、複数の走査線と複数のデータ線
との交差に対応して配列された複数の画素と、複数の走査線の各々を順次に選択する垂直
走査を実行するとともに当該走査線に対応する各画素に対して表示内容に応じたデータ電
圧を印加する駆動回路と、本発明に係る制御装置とを具備する。この構成によれば、本発
明に係る制御装置と同様の作用および効果が得られる。この電気光学装置は、例えば携帯
電話機やパーソナルコンピュータといった各種の電子機器の表示装置として採用され得る
。
【００１１】
さらに、本発明は、以上に説明した第１ないし第３の特徴を有する制御方法としても特
定される。すなわち、第１の特徴に係る制御方法は、駆動回路の動作を制御するための駆
動制御パラメータを含むパラメータ群の変更を指示するコマンドが入力されると、記憶手
段に記憶されたパラメータ群をそのコマンドに基づいて更新する一方、表示の停止を指示
するリセット信号が入力されると、記憶手段に記憶されたパラメータ群を初期値に更新し
、記憶手段に記憶された駆動制御パラメータに基づいて駆動回路を制御する一方、リセッ
ト信号の入力によりパラメータ群が更新された後に、複数の画素の各々に対して非点灯電
圧が印加されるように駆動回路を制御する。第２の特徴に係る制御方法は、駆動回路の動
作を制御するための駆動制御パラメータを含むパラメータ群の変更を指示するコマンドが
入力されると、記憶手段に記憶されたパラメータ群をそのコマンドに基づいて更新する一
方、表示の停止を指示するリセット信号が入力されると、記憶手段に記憶されたパラメー
タ群のうち駆動制御パラメータ以外のパラメータを初期値に更新し、記憶手段に記憶され
た駆動制御パラメータに基づいて駆動回路を制御する一方、リセット信号の入力によりパ
ラメータ群が更新された後に、複数の画素の各々に対して非点灯電圧が印加されるように
駆動回路を制御する。
【００１２】
また、第３の特徴に係る制御方法は、複数の画素のうち第１のグループに属する各画素
への印加電圧と当該第１のグループとは異なる第２のグループに属する各画素への印加電
圧とが逆極性となり、かつ、各画素への印加電圧の極性が所定の期間ごとに反転するよう
に駆動回路を制御する一方、表示の停止を指示するリセット信号が入力されると、その入
力の時点にて実行されている垂直走査を中断して最初の走査線からの新たな垂直走査を駆
動回路に開始させるとともに、この新たな垂直走査において、中断した垂直走査にて当該
中断前に選択された走査線に対応する各画素には当該中断した垂直走査にて印加された電
圧とは逆極性の非点灯電圧が印加され、かつ、中断した垂直走査にて当該中断後に選択さ
れるべきであった走査線に対応する各画素には当該中断した垂直走査の直前の垂直走査に
て当該各画素に印加された電圧とは逆極性の非点灯電圧が印加されるように駆動回路を制
御する。
【発明を実施するための最良の形態】
【００１３】
＜Ａ：液晶装置の構成＞
図１は、本発明の実施形態に係る液晶装置の構成を示すブロック図である。この液晶装
置１００は、携帯電話機などの電子機器に表示装置として搭載されたものであり、電子機
器の全体の動作を制御するＣＰＵ（Central Processing Unit）８０に接続されている。
同図に示されるように、液晶装置１００は、液晶パネルＰ、制御装置６０および電源回路
７５を有する。このうち液晶パネルＰは、Ｘ方向（行方向）に延在して走査線駆動回路５
２に接続された合計ｍ本の走査線２１と、Ｙ方向（列方向）に延在してデータ線駆動回路
５１に接続された合計ｎ本のデータ線１１とを有する（ｍおよびｎはともに自然数）。走
査線２１とデータ線１１とが交差する各地点には画素３１が形成される。したがって、こ
れらの画素３１は、縦ｍ行×横ｎ列のマトリクス状に配列される。図１に示されるように
、各画素３１は、二端子型スイッチング素子であるＴＦＤ（Thin Film Diode）素子１５
と、このＴＦＤ素子１５に直列接続された液晶容量３３とを有する。なお、本実施形態の
液晶パネルＰは、電圧が印加されないときに白色を表示するノーマリホワイトモードを採
用している。
【００１４】
次に、図２は、液晶パネルＰのうちデータ線１１と走査線２１とが交差する部分を拡大
して示す図である。同図に示されるように、液晶パネルＰは、相互に対向する素子基板１
０および対向基板２０とを有する。素子基板１０および対向基板２０は図示しないシール
材によって一定の間隔を保って貼り合わされており、両基板の間隙には例えばＴＮ（Twis
ted Nematic）型の液晶３５が封止されている。各データ線１１は素子基板１０のうち液
晶３５と対向する板面上に形成されている。さらに、素子基板１０の板面上には略矩形状
の画素電極１３がマトリクス状に形成されており、同じく素子基板１０の板面上に形成さ
れたＴＦＤ素子１５を介してデータ線１１に接続されている。各ＴＦＤ素子１５は、図２
に示されるように、データ線１１から分岐した第１の導電体１５２と、第１の導電体１５
２の表面を陽極酸化してなる絶縁体１５４と、画素電極１３に接続された第２の導電体１
５６とが素子基板１０側からこの順番に積層されたサンドイッチ構成となっている。した
がって、各ＴＦＤ素子１５は、電流−電圧特性が正負双方向にわたって非線形となるダイ
オードスイッチング特性を有する。一方、上述した走査線２１の各々は対向基板２０のう
ち液晶３５と対向する板面上に形成されている。各走査線２１は、素子基板１０の板面上
においてＸ方向に並ぶ複数（ｎ個）の画素電極１３と対向するようにＩＴＯ（Indium Tin
Oxide）などの透明導電体によって形成された帯状の電極である。図１に示した液晶容量
３３は、データ線１１と走査線２１との交差において、当該走査線２１と画素電極１３と
両者に挟まれた液晶３５とによって構成される。
【００１５】
走査線駆動回路５２は、第１行目、第２行目、…、第ｍ行目の各走査線２１に対して走
査信号Ｙ1、Ｙ2、…、Ｙmをそれぞれ供給する回路である。また、データ線駆動回路５１
は、第１列目、第２列目、…、第ｎ列目の各データ線１１に対し、画素３１の表示内容（
階調）に応じたデータ信号Ｘ1、Ｘ2、…、Ｘnをそれぞれ供給する回路である。本実施形
態においては、３ビットの画像データによって８段階の階調の何れかが各画素３１の表示
内容として指示される場合を想定する。一方、電源回路７５は、制御装置６０によって指
示されたレベルの電圧±Ｖsおよび電圧±Ｖdを生成する。このうち電圧±Ｖsは、走査線
駆動回路５２に供給されて走査信号Ｙi（ｉは１≦ｉ≦ｍを満たす整数）の選択電圧とし
て用いられる。選択電圧とは、この電圧が走査線２１に印加されたときに、データ線１１
に供給されるデータ信号Ｘj（ｊは１≦ｊ≦ｎを満たす整数）の電圧の如何に拘わらずＴ
ＦＤ素子１５が導通状態となる電圧である。また、電圧±Ｖdは、走査線駆動回路５２に
供給されて走査信号Ｙiの非選択電圧とされる。非選択電圧とは、この電圧が走査線２１
に印加されたとき、データ線１１に供給されるデータ信号Ｘjの電圧の如何に拘わらずＴ
ＦＤ素子１５が非導通状態となる電圧である。この電圧±Ｖdは、データ信号Ｘjの電圧と
しても兼用される構成となっているため、データ線駆動回路５１にも供給される。
【００１６】
一方、電子機器のＣＰＵ８０は、走査信号Ｙiなど各種の信号を生成するための同期信
号や、液晶装置１００の動作を規定するためのコマンド、さらには表示すべき画像を構成
する各ドットの階調を指定する画像データを液晶装置１００の制御装置６０に入力する。
ＣＰＵ８０から液晶装置１００に入力されるコマンドとしては、表示動作の開始を指示す
るコマンドや、液晶装置１００による画像表示動作に関するパラメータの変更を指示する
コマンドなどがある。また、ＣＰＵ８０は、電子機器の電池が取り外された場合など突発
的に表示を停止すべき事情が発生した場合にリセット信号ＲＥＳを制御装置６０に入力す
る。
【００１７】
制御装置６０は、液晶装置１００全体の動作を制御するための装置であり、図１に示さ
れるように、液晶装置１００による画像表示動作の内容を規定するためのパラメータを記
憶するレジスタ６５と、レジスタ６５に記憶されたパラメータに基づいて液晶装置１００
の各部を制御する駆動制御手段６１と、レジスタ６５へのパラメータの書き込みや読み出
しを行なうパラメータ管理手段６３とを有する。駆動制御手段６１およびパラメータ管理
手段６３は、ＣＰＵなどの演算制御装置とプログラムとの協働によって実現されてもよい
し、専用のハードウェアのみによって実現されてもよい。このうち駆動制御手段６１は、
走査線駆動回路５２およびデータ線駆動回路５１が画素３１を駆動するために使用する各
種の信号を生成して出力する。さらに詳述すると、駆動制御手段６１は、図３に示される
ように各垂直走査期間（１Ｆ）の最初に立ち上がるスタートパルスＤＹや１垂直走査期間
（１Ｈ）に相当する周期を有するクロック信号ＹＣＫのほか、極性指示信号ＰＯＬや階調
制御パルスＧＣＰといった種々の信号を生成する。
【００１８】
極性指示信号ＰＯＬは、走査線２１が選択されたときに当該走査線２１に印加されるべ
き選択電圧の極性を指定する信号であり、例えば、Ｈレベルであれば正極性の電圧＋Ｖs
を、Ｌレベルであれば負極性の電圧−Ｖsを、それぞれ走査信号Ｙiの選択電圧として指定
する。この極性指示信号ＰＯＬは、同図に示されるように、ひとつの垂直走査期間内では
水平走査期間ごとに論理レベルが反転し、また、時間的に前後する垂直走査期間において
、同一の走査線２１が選択される水平走査期間では論理レベルが逆転する関係にある信号
である。走査線駆動回路５２によって生成される走査信号Ｙiは、第ｉ行目の走査線２１
が選択される水平走査期間において極性指示信号ＰＯＬがＨレベルであれば当該水平走査
期間を２分割した後半期間（１／２Ｈ）において選択電圧＋Ｖsとなり、この水平走査期
間の経過後には直前の選択電圧＋Ｖsと同極性の非選択電圧＋Ｖdを維持する。一方、第（
ｉ＋１）行目の走査線２１が選択される水平走査期間においては極性指示信号ＰＯＬの論
理レベルが逆転してＬレベルとなるから、第（ｉ＋１）行目の走査線２１に供給される走
査信号Ｙi+1は、水平走査期間の後半期間において選択電圧−Ｖsとなり、この水平走査期
間の経過後には直前の選択電圧−Ｖsと同極性の非選択電圧−Ｖdを維持する。すなわち、
第１行目から第ｍ行目までの走査線２１が選択される垂直走査期間に着目すると、走査信
号Ｙ1ないしＹmは、水平走査期間ごとに交互に正極性の選択電圧＋Ｖsまたは負極性の選
択電圧−Ｖsとなる。さらに、相前後する垂直走査期間において極性指示信号ＰＯＬの論
理レベルが反転するから、ある垂直走査期間において奇数行目の走査信号Ｙiの選択電圧
が正極性の電圧＋Ｖsとされ偶数行目の走査信号Ｙiの選択電圧が負極性の電圧−Ｖsとさ
れていたのであれば、次の垂直走査期間においては、奇数行目の走査信号Ｙiの選択電圧
が負極性の電圧−Ｖsとされ偶数行目の走査信号Ｙiの選択電圧が正極性の電圧＋Ｖsとさ
れる。
【００１９】
一方、階調制御パルスＧＣＰは、図４に示されるように、１水平走査期間の前半期間お
よび後半期間のそれぞれにおいて、白色または黒色を除く各中間階調に対応したタイミン
グにて立ち上がるパルスである。データ線駆動回路５１は、走査線駆動回路５２が選択し
た走査線２１に対応する１行分の画素３１に対し、電圧＋Ｖdおよび−Ｖdを各画素３１の
表示内容に応じた時間の比率にてデータ信号Ｘjとして各データ線１１に供給する。例え
ば、図４に示されるように、第ｊ列目の画素３１の画像データが白色を表す［０００］で
ある場合（すなわち当該画素３１をオフ表示する場合）、データ信号Ｘjは、当該画素３
１に対応する走査線２１が選択される水平走査期間の前半期間において、その直後の後半
期間に当該走査線２１に印加される選択電圧±Ｖsと逆極性の電圧±Ｖdとなる一方、この
後半期間においては選択電圧±Ｖsと同極性の電圧±Ｖdとなる。また、第ｊ列目の画素３
１の画像データが黒色を表す［１１１］である場合（すなわち当該画素３１をオン表示す
る場合）、データ信号Ｘjは、当該画素３１に対応する走査線２１が選択される水平走査
期間の前半期間において、その直後の後半期間に当該走査線２１に印加される選択電圧±
Ｖsと同極性の電圧±Ｖdとなる一方、この後半期間においては選択電圧±Ｖsと逆極性の
電圧±Ｖdとなる。一方、画像データが白色および黒色を除く中間階調（画像データ［０
０１］ないし［１１０］により示される灰色の階調）を示す場合、データ信号Ｘjの電圧
は、階調制御パルスＧＣＰが立ち上がるタイミングにて電圧＋Ｖdおよび−Ｖdの一方から
他方に切り替えられる。すなわち、各走査線２１に選択電圧±Ｖsが印加される水平走査
期間の後半期間の始点において、データ信号Ｘjは、その選択電圧±Ｖsと同極性（すなわ
ち極性指示信号ＰＯＬの論理レベルに応じた極性）の電圧±Ｖdとされる一方、各階調制
御パルスＧＣＰのうち画像データに応じたものが立ち上がるタイミングにて逆極性の電圧
±Ｖdに切り替えられる。この後半期間におけるデータ信号Ｘjは、画素３１に指示される
階調が暗いほど、選択電圧±Ｖsとは逆極性の点灯電圧（±Ｖd）となる期間が長くなる。
一方、前半期間におけるデータ信号Ｘjは、その直後の後半期間におけるデータ信号Ｘjの
電圧の極性を反転させたものとなる。以上の構成のもと、選択期間の後半期間において走
査線２１に選択電圧±Ｖsが印加されることによりＴＦＤ素子１５がオン状態となるとと
もに、このときにデータ線１１に供給されているデータ信号Ｘjに応じた電圧が液晶容量
３３に印加され、それ以外の期間ではＴＦＤ素子１５がオフ状態となって液晶容量３３の
電圧が保持されることとなる。このように、階調制御パルスＧＣＰは、各階調が指示され
たときに液晶容量３３に印加される電圧実効値を定める信号として把握される。すなわち
、階調制御パルスＧＣＰが配置される時間軸上の位置に応じて各画像データに対する実際
の画素３１の階調が規定される。
【００２０】
上述したように、図１に示される駆動制御手段６１は、レジスタ６５に格納されたパラ
メータに基づいて液晶装置１００を制御する。このレジスタ６５には、例えば、階調制御
パラメータと駆動制御パラメータと製造情報パラメータとが記憶される。このうち階調制
御パラメータは、液晶パネルＰの階調特性（特にガンマ特性）を制御するためのパラメー
タである。駆動制御手段６１は、この階調制御パラメータによって規定されるタイミング
にて階調制御パルスＧＣＰをデータ線駆動回路５１に出力する。したがって、階調制御パ
ラメータを変更することにより、画像データが示す各階調と実際の画素３１の階調との関
係が任意に調整される。一方、製造情報パラメータは、型式やロット番号といった液晶パ
ネルＰに関する種々の事項を表すパラメータである。
【００２１】
また、駆動制御パラメータは、画素３１の駆動に関わる各種のパラメータである。この
駆動制御パラメータには、例えば、液晶パネルＰが備える画素３１の総数（あるいは走査
線２１およびデータ線１１の総本数）を示すパラメータや、画素３１の駆動に用いられる
電圧±Ｖsや電圧±Ｖd（以下ではこれらを総称して「駆動電圧」という）のレベルを示す
パラメータが含まれる。駆動制御手段６１は、レジスタ６５に記憶された駆動制御パラメ
ータに基づいて走査線駆動回路５２やデータ線駆動回路５１、あるいは電源回路７５を制
御する。さらに詳述すると、駆動制御手段６１は、例えば画素３１の総数を示す駆動制御
パラメータに基づいて垂直走査期間内の水平走査期間の総数を特定したうえで、この水平
走査期間や垂直走査期間の時間長に応じたクロック信号ＹＣＫおよびスタートパルスＤＹ
や上述した極性指示信号ＰＯＬなど各種の信号を生成して走査線駆動回路５２およびデー
タ線駆動回路５１に出力する。さらに、駆動制御手段６１は、駆動電圧を示す駆動制御パ
ラメータに基づいて電源±Ｖsおよび電圧±Ｖdのレベルを電源回路７５に指示する。これ
により、電源回路７５から走査線駆動回路５２やデータ線駆動回路５１に供給される駆動
電圧が駆動制御パラメータに応じたレベルに調整される。
【００２２】
ところで、液晶装置１００は、用途や機能が異なる種々の電子機器の表示装置として採
用され得る。これらの電子機器の各々について別個の型式の液晶装置１００を製造すると
すれば、製造コストの著しい増大を避けることができない。このため、本実施形態に係る
液晶装置１００は、用途や機能が異なる種々の電子機器の表示装置として汎用されるよう
になっている。これらの電子機器において液晶装置１００に要求される機能や表示特性は
電子機器の型式や機能に応じて区々である。例えば、液晶パネルＰの画素３１の総数や駆
動電圧のレベルは、この液晶装置１００が搭載される電子機器の型式に応じて相違する。
そこで、本実施形態においては、液晶装置１００が搭載される電子機器に拘わらず共通に
選定されたパラメータがレジスタ６５に初期値として設定される一方、このパラメータが
電子機器の型式や機能に応じて適宜に変更されるようになっている。図１に示されるパラ
メータ管理手段６３は、このレジスタ６５に記憶されたパラメータを管理するための手段
である。すなわち、パラメータ管理手段６３は、電子機器のＣＰＵ８０からコマンドによ
り指示されたパラメータの数値（以下「指示値」という）をレジスタ６５に上書きする一
方、電子機器のＣＰＵ８０からリセット信号ＲＥＳが入力されるたびにレジスタ６５のパ
ラメータを初期値にリセットする。
【００２３】
一方、電子機器の型式や機能に応じて初期値から指示値に変更されるべきパラメータの
種類が多い場合にはＣＰＵ８０の負担が過大となりかねない。この負担を低減するために
本実施形態においては、図１に示されるように、特定のパラメータについて数値（以下「
固有値」という）を予め記憶したＥＥＰＲＯＭ（Electronically Erasable and Programm
able Read Only Memory）７１が設けられる場合がある。なお、図１に示されるＥＥＰＲ
ＯＭ７１に代えて、ＯＴＰ（One Time PROM）といった他の記憶手段も採用され得る。パ
ラメータ管理手段６３は、液晶装置１００による表示動作に先立ち、ＥＥＰＲＯＭ７１に
格納されたパラメータをレジスタ６５に読み込むことによって初期値を固有値に更新する
。この構成によれば、レジスタ６５の初期値を指示値に変更するためのＣＰＵ８０の負担
が軽減されるという利点がある。もっとも、電子機器の型式や機能によっては、レジスタ
６５に予め記憶された初期値とＣＰＵ８０からのコマンドに応じて上書きされた指示値の
みによって表示装置１００を適正に動作させることができる場合がある。この場合には液
晶装置１００にＥＥＰＲＯＭ７１は設けられない。以上の説明から明らかなように、レジ
スタ６５に記憶される数値の種類に着目して液晶装置１００を区分すると、（１）レジス
タ６５に予め設定された初期値のみによって電子機器の表示装置として最適な表示動作（
以下「所期の動作」という）を実行し得るもの、（２）レジスタ６５に予め設定された初
期値とこれに上書きされる固有値とによって所期の動作を実行し得るもの、および、（３
）レジスタ６５に予め設定された初期値とＣＰＵ８０からのコマンドに応じて初期値に上
書きされる指示値（さらにはＥＥＰＲＯＭ７１から読み込まれて初期値に上書きされる固
有値）とによって所期の動作を実行し得るものという３種類に区分することができる。
【００２４】
以上の構成のもと、本実施形態における制御装置６０は、表示の停止を指示するリセッ
ト信号ＲＥＳがＣＰＵ８０から入力されると、まずレジスタ６５に記憶された各パラメー
タを初期値に戻すリセット処理を実行し、このリセット処理が完了した後に、総ての画素
３１に対して非点灯電圧を印加するオフシーケンス処理を実行する。以下、ＣＰＵ８０か
らの指示値を要することなく所期の動作を実行し得る液晶装置１００（すなわち上記（１
）および（２）の液晶装置１００）と、所期の動作のためにＣＰＵ８０からの指示値が必
要となる液晶装置１００（すなわち上記（３）の液晶装置１００）とに分けて、リセット
信号ＲＥＳが入力されたときの液晶装置１００の動作を説明する。
【００２５】
［１：ＣＰＵ８０からの指示値を要することなく所期の動作を実行し得る場合］
ＣＰＵ８０からの指示値を要することなく所期の動作を実行し得る場合とは、レジスタ
６５に設定された初期値のみによって所期の動作を実行し得る場合のほか、初期値のみに
よっては所期の動作を実行することはできないもののＥＥＰＲＯＭ７１に記憶された固有
値により初期値を変更することによって所期の動作を実行し得る場合も含む。この場合、
図５に示されるように、リセット信号ＲＥＳが入力された直後にリセット処理が実行され
る。すなわち、パラメータ管理手段６３は、リセット信号ＲＥＳの入力を検知すると、レ
ジスタ６５に記憶されたパラメータを初期値にリセットする。また、ＥＥＰＲＯＭ７１が
設けられている場合、パラメータ管理手段６３は、このＥＥＰＲＯＭ７１に記憶されてい
る固有値を読み出してレジスタ６５に上書きする。このリセット処理が完了すると、駆動
制御手段６１は、オフシーケンス処理が実行されるように走査線駆動回路５２およびデー
タ線駆動回路５１を制御する。このように、オフシーケンス処理に先立ってリセット処理
が実行されるから、オフシーケンス処理の途中でＣＰＵ８０からパラメータの変更を指示
するコマンドが入力されたとしても、このコマンドに基づくパラメータ変更は有効に受け
付けられ、その後の液晶装置１００の動作に有効に反映される。また、オフシーケンス処
理は、パラメータの初期値または固有値に基づいて最適な条件のもとで実行される。この
オフシーケンス処理の後、総ての走査線２１を順次に走査する表示オフ処理が１垂直走査
期間にわたって実行されてから、表示の動作が停止して液晶装置１００はスリープ状態と
なる。
【００２６】
［２：所期の動作を実行するためにＣＰＵ８０からの指示値が必要である場合］
所期の動作を実行するためにＣＰＵ８０からの指示値が必要である場合とは、レジスタ
６５に設定される初期値のみによっては所期の動作を実行することができず、しかもＥＥ
ＰＲＯＭ７１が設けられていないために初期値が固有値に変更されない場合である。この
場合にも、図６に示されるように、リセット信号ＲＥＳが入力された直後にリセット処理
が実行される。ただし、この場合のリセット処理においては、レジスタ６５に記憶された
総てのパラメータがリセットされるわけではなく、駆動制御パラメータについてはリセッ
ト処理の直前の数値のまま維持される（すなわちリセットされない）。したがって、リセ
ット処理の直後のレジスタ６５には、そのリセット処理の直前の数値が維持された駆動制
御パラメータと、初期値にリセットされた階調制御パラメータや製造情報パラメータ（駆
動制御パラメータ以外のパラメータ）が記憶されることになる。このリセット処理が完了
すると、駆動制御手段６１は、オフシーケンス処理が実行されるように走査線駆動回路５
２およびデータ線駆動回路５１を制御する。その後に総ての走査線２１を順次に走査する
表示オフ処理が１垂直走査期間にわたって実行されてから、表示の動作が停止して液晶装
置１００はスリープ状態となる。このように、オフシーケンス処理に先立ってリセット処
理が実行されるから、オフシーケンス処理や表示オフ処理の途中でＣＰＵ８０から入力さ
れたコマンドをその後の液晶装置１００の動作に有効に反映させることができる。ただし
、オフシーケンス処理や表示オフ処理の途中で変更されるパラメータは駆動制御パラメー
タ以外のパラメータ（階調制御パラメータや製造情報パラメータ）に限定される。すなわ
ち、駆動制御パラメータの変更を指示するパラメータがＣＰＵ８０から入力されると、パ
ラメータ管理手段６３は、この駆動制御パラメータをレジスタ６５とは別個に設けられた
レジスタに退避的に格納する一方、表示オフ処理が終了した段階にて当該レジスタに格納
されている駆動制御パラメータをレジスタ６５に上書きする。この構成によれば、リセッ
ト処理の直前にレジスタに格納されていた最適な駆動制御パラメータのもとでオフシーケ
ンス処理を実行することができる一方、オフシーケンス処理や表示オフ処理の最中にＣＰ
Ｕ８０から入力されたコマンドを当該処理の終了後に有効に反映させることができる。
【００２７】
上記（１）および（２）においてリセット処理の直後に実行されるオフシーケンス処理
は、上述したように総ての画素３１に対して非点灯電圧を印加する処理である。すなわち
、第１行目から第ｍ行目までの各走査線２１が順次に選択され、この選択された走査線２
１に対応する合計ｎ個の画素３１に対して非点灯電圧（すなわち図４において画像データ
が［０００］である場合のデータ信号Ｘj）がデータ線１１を介して供給される。このた
め、駆動制御手段６１は、白表示を指示する画像データ［０００］を総ての画素３１につ
いてデータ線駆動回路５１に供給する。
【００２８】
一方、オフシーケンス処理に際して第１行目から第ｍ行目までの各走査線２１を選択す
る処理（以下「垂直走査」という）としては、通常の駆動時（オフシーケンス処理以外の
表示動作時）と同様に、走査線２１ごとに極性が逆転するように選択電圧を印加する垂直
走査（すなわち図３に示した垂直走査）としてもよい。しかしながら、このような垂直走
査をリセット処理後のオフシーケンス処理にて実行すると、各液晶容量３３に蓄積された
電荷を充分に除去し得ないという問題が生じ得る。以下、図７を参照しながら、この問題
点について詳述する。なお、図７および以下の説明においては、走査線２１に正極性の選
択電圧＋Ｖsが印加されたときに液晶容量３３に保持される電圧を正極性（＋）とし、走
査線２１に負極性の選択電圧−Ｖsが印加されたときに液晶容量３３に保持される電圧を
負極性（−）と定義する。
【００２９】
いま、ある垂直走査期間Ｆaにおいて奇数行目の走査線２１に正極性の選択電圧＋Ｖsが
印加され、偶数行目の走査線２１に負極性の選択電圧−Ｖsが印加されるものとする。こ
のとき、図７に示されるように、奇数行目に属する各画素３１の液晶容量３３に保持され
る電圧は正極性（＋）であり、偶数行目に属する各画素３１の液晶容量３３に保持される
電圧は負極性（−）である。一方、この直後の垂直走査期間Ｆbにおいては、走査信号Ｙi
の極性が垂直走査期間Ｆaとは逆転するから、奇数行目に属する各画素３１の液晶容量３
３には負極性の電圧が保持され、偶数行目に属する各画素３１の液晶容量３３には正極性
の電圧が保持される。ここで、垂直走査期間Ｆbのうち奇数行目である第ｋ行目の走査線
２１に負極性の選択電圧−Ｖsが印加されたタイミングでリセット信号ＲＥＳが入力され
た場合を想定する。この場合、第（ｋ＋１）行目から第ｍ行目までの走査線２１は当該垂
直走査期間Ｆbにおいて選択されない。そして、リセット信号ＲＥＳの入力の直後にリセ
ット処理が実行され、これが完了した段階でオフシーケンス処理が開始されると、垂直走
査期間Ｆcにおいて第１行目の走査線２１から改めて垂直走査が開始される。ここで、オ
フシーケンス処理においても通常の駆動時と同様の垂直走査が実行されると仮定すると、
垂直走査期間Ｆcにおいては、走査信号の極性が垂直走査期間Ｆbとは逆転するから、奇数
行目に属する各画素３１の液晶容量３３には正極性の電圧が保持され、偶数行目に属する
各画素３１の液晶容量３３には負極性の電圧が保持されることとなる。ここで、垂直走査
期間Ｆcにおいて選択される走査線２１のうち第１行目から第ｋ行目までの走査線２１に
着目すると、これらの各行に属する画素３１の液晶容量３３に印加される電圧は直前の垂
直走査期間Ｆbにおいて保持された電圧に対して逆極性となるから、これらの液晶容量３
３に蓄積された電荷は充分に除去されることとなる。次に、垂直走査期間Ｆbにおいて垂
直走査の中断後に選択されるべきであった第（ｋ＋１）行目から第ｍ行目までの走査線２
１に着目する。垂直走査期間Ｆbにおいて第（ｋ＋１）行目から第ｍ行目の走査線２１は
選択されていない。したがって、垂直走査期間Ｆcが開始される時点において第（ｋ＋１
）行目から第ｍ行目までの各行に属する画素３１の液晶容量３３には、垂直走査が中断さ
れた垂直走査期間Ｆbの直前の垂直走査期間Ｆaにおいて保持された電圧がそのまま維持さ
れている。より具体的には、第（ｋ＋１）行目から第ｍ行目までのうち奇数行目に属する
液晶容量３３には正極性の電圧が保持され、偶数行目に属する液晶容量３３には負極性の
電圧が保持されている。一方、垂直走査期間Ｆcにおいては、上述したように、奇数行目
の各走査線２１に正極性の選択電圧＋Ｖsが印加されるとともに偶数行目の各走査線２１
に負極性の選択電圧−Ｖsが印加される。したがって、第（ｋ＋１）行目から第ｍ行目ま
での各行に属する液晶容量３３には垂直走査期間Ｆaから垂直走査期間Ｆcにわたって同極
性の電圧が連続して印加されることとなる。この結果、第（ｋ＋１）行目から第ｍ行目ま
での各行に属する液晶容量３３から電荷を充分に除去することができないという問題が生
じ得る。
【００３０】
この問題を解決するために、本実施形態においては、垂直走査期間Ｆcにて第（ｋ＋１
）行目から第ｍ行目までの各行の液晶容量３３に印加される電圧が、当該垂直走査期間Ｆ
cの直前にて各液晶容量３３に保持されている電圧とは逆極性となるように垂直走査が実
行される。すなわち、垂直走査期間Ｆcにおいて第１行目から第ｋ行目までの各行の液晶
容量３３に垂直走査期間Ｆbとは逆極性の電圧が印加される点は上記と同様であるが、第
（ｋ＋１）行目から第ｍ行目の各液晶容量３３には垂直走査期間Ｆaにおける印加電圧に
対して逆極性の電圧（換言すれば、垂直走査が中断された垂直走査期間Ｆbにて各液晶容
量３３に印加されるべきであった極性の電圧）が印加される。より具体的には、図８に示
されるように、第（ｋ＋１）行目から第ｍ行目までの各行のうち偶数行目に属する液晶容
量３３には、第１行目から第ｋ行目のうち奇数行目の液晶容量３３と同様に正極性の電圧
が印加される。これに対し、第（ｋ＋１）行目から第ｍ行目までの各行のうち奇数行目に
属する液晶容量３３には、第１行目から第ｋ行目のうち偶数行目の液晶容量３３と同様に
正極性の電圧が印加される。換言すると、垂直走査期間Ｆcにおける垂直走査に際して各
液晶容量３３に印加される電圧の極性は、その直前の垂直走査期間Ｆbにて垂直走査が中
断されたときの第ｋ行目の走査線２１とその直後に選択されるべきであった第（ｋ＋１）
行目の走査線２１との間を境界として逆転することになる。
【００３１】
このようなオフシーケンス処理を実行するために、本実施形態における駆動制御手段６
１は、リセット信号ＲＥＳが入力された時点において選択されている走査線２１を特定す
る機能を有する。さらに詳述すると、駆動制御手段６１は、クロック信号ＹＣＫをカウン
トするとともにスタートパルスＤＹの立ち上がりにてカウント値をリセットするカウンタ
を有する。このカウンタによるカウント値は、現に選択されている走査線２１の番号ｉに
相当する。駆動制御手段６１は、電子機器のＣＰＵ８０からリセット信号ＲＥＳが入力さ
れた時点におけるカウンタのカウント値をレジスタ６５に記憶する。図８の例ではカウン
ト値「ｋ」がレジスタ６５に格納される。そして、駆動制御手段６１は、オフシーケンス
処理が実行される垂直走査期間Ｆcにおいて、各走査線２１の選択に伴なってカウンタに
よるカウント値を取得し、このカウント値がレジスタ６５に記憶されたカウント値と一致
したタイミングで極性指示信号ＰＯＬの論理レベルと走査線２１の奇偶との関係をそれま
でとは逆転させる。すなわち、図９に示されるように、第ｋ行目の走査線２１が選択され
るまでは偶数行目の走査線２１が選択される水平走査期間にてＬレベル、奇数行目の走査
線２１が選択される水平走査期間にてＨレベルとなっていた極性指示信号ＰＯＬを、第（
ｋ＋１）行目から第ｍ行目の各走査線２１が選択されるまでは、偶数行目の走査線２１が
選択される水平走査期間にてＨレベル、奇数行目の走査線２１が選択される水平走査期間
にてＬレベルとなるように調整する。この結果、図８および図９に示されるように、第ｋ
行目の走査線２１には正極性の選択電圧＋Ｖsが印加されて液晶容量３３には正極性の電
圧が印加される一方、第（ｋ＋１）行目の走査線２１には正極性の選択電圧＋Ｖsが印加
されて液晶容量３３には正極性の電圧が印加され、第（ｋ＋２）行目の走査線２１には負
極性の選択電圧−Ｖsが印加されて液晶容量３３には負極性の電圧が印加されることとな
る。なお、ここでは奇数行目の走査線２１が選択されているときに垂直走査が中断された
場合を例示したが、偶数行目の走査線２１が選択されているときに垂直走査が中断された
場合にも、液晶容量３３に直前に印加された電圧とは逆極性の電圧がオフシーケンス処理
に際して印加されることとなる。
【００３２】
このように、本実施形態においては、ある垂直走査が中断された場合であっても、その
後のオフシーケンス処理に際して、各行の液晶容量３３には直前の印加電圧とは逆極性の
電圧が印加されることとなるから、総ての画素３１について充分に電荷を除去することが
できる。したがって、直流電圧の印加に起因した液晶３５の劣化を確実に防止することが
できる。
【００３３】
＜Ｂ：変形例＞
上記実施形態に対しては種々の変形が加えられ得る。具体的な変形の態様を挙げれば以
下の通りである。なお、以下の各態様を適宜に組み合わせた構成も採用され得る。
【００３４】
（１）上記実施形態においては、制御装置６０、走査線駆動回路５２およびデータ線駆動
回路５１を別個の回路として説明したが、これらの回路の一部または全部が単一のＩＣチ
ップに搭載された構成も採用され得る。例えば、走査線駆動回路５２を搭載したＩＣチッ
プと、制御装置６０およびデータ線駆動回路５１を搭載したＩＣチップとが液晶パネルＰ
に実装された構成も採用され得る。また、制御装置６０、走査線駆動回路５２およびデー
タ線駆動回路５１が実装される位置は任意である。例えば、素子基板１０に接合されたフ
レキシブル配線基板や、このフレキシブル配線基板に接続されたプリント基板にこれらの
回路の一部または全部が実装された構成も採用され得る。
【００３５】
（２）上記実施形態においては、データ線１１にＴＦＤ素子１５が接続され、帯状の走査
線２１と画素電極１３とによって液晶容量３３が形成される構成を例示したが、これとは
逆に、走査線２１にＴＦＤ素子１５が接続され、帯状のデータ線１１と画素電極１３とに
よって液晶容量３３が形成される構成としてもよい。また、二端子型スイッチング素子た
るＴＦＤ素子１５を用いたアクティブマトリクス方式の液晶装置１００を例示したが、三
端子型スイッチング素子たるＴＦＴ（Thin Film Transistor）素子を用いたアクティブマ
トリクス方式の液晶装置や、スイッチング素子を持たないパッシブマトリクス方式の液晶
装置にも本発明は適用される。
【００３６】
（３）上記実施形態においては、水平走査期間の後半期間において走査線２１に選択電圧
±Ｖsが印加される構成を例示したが、水平走査期間を分割しない構成も採用され得る。
この構成においては、水平走査期間ごとに、当該水平走査期間の始点から終点までにわた
って走査線２１に選択電圧±Ｖsが印加される一方、各水平走査期間のうち画像データに
応じたタイミングにてデータ信号Ｘjの電圧が点灯電圧および非点灯電圧の一方から他方
に切り替えられる。また、上記実施形態においては画像データに応じたパルス幅のデータ
信号Ｘjが生成されるＰＷＭ（パルス幅変調）駆動方式を例示したが、画像データに応じ
た信号レベルのデータ信号Ｘjが生成される構成も採用され得る。さらに、上記実施形態
においては１水平走査期間ごとおよび１垂直走査期間ごとに走査信号Ｙiの極性を反転さ
せる構成を例示したが、複数の水平走査期間ごとまたは複数の垂直走査期間ごとに走査信
号Ｙiの極性を反転させる構成も採用され得る。
【００３７】
（４）上記実施形態においては、極性指示信号ＰＯＬの論理レベルを調整することによっ
てオフシーケンスにおける液晶容量３３への印加電圧の極性を定める構成を例示したが、
オフシーケンス処理において液晶容量３３に印加される電圧を直前の印加電圧とは逆極性
とするための構成は任意である。例えば、電源回路７５から走査線駆動回路５２に供給さ
れる電圧＋Ｖsと−Ｖsとを、オフシーケンス処理が実行される垂直走査期間Ｆcのうち、
直前の垂直走査期間Ｆbにて選択が中断された走査線２１が選択されるタイミングにおい
てて入れ替える構成としてもよい。また、上記実施形態においてはオフシーケンス処理に
おいて走査線２１を１本ずつ選択する構成を例示したが、複数本（２本ないしｍ本）ずつ
選択して選択電圧を印加する構成も採用され得る。この構成によれば、走査線２１を１本
ずつ選択する構成と比較してオフシーケンス処理に要する時間を短縮することができると
いう利点がある。
【００３８】
（５）上記実施形態においては液晶装置１００を例示したが、液晶以外の電気光学物質を
用いた装置にも本発明は適用される。電気光学物質とは、電気信号（電流信号または電圧
信号）の供給によって透過率や輝度といった光学的特性が変化する物質である。例えば、
有機ＥＬ（ElectroLuminescent）や発光ポリマーなどのＯＬＥＤ（Organic Light Emitti
ng Diode）素子を電気光学物質として用いた表示装置や、着色された液体と当該液体に分
散された白色の粒子とを含むマイクロカプセルを電気光学物質として用いた電気泳動表示
装置、極性が相違する領域ごとに異なる色に塗り分けられたツイストボールを電気光学物
質として用いたツイストボールディスプレイ、黒色トナーを電気光学物質として用いたト
ナーディスプレイ、あるいはヘリウムやネオンなどの高圧ガスを電気光学物質として用い
たプラズマディスプレイパネルなど各種の電気光学装置に対しても上記実施形態と同様に
本発明が適用され得る。
【００３９】
＜Ｃ：電子機器＞
次に、本発明に係る電気光学装置を表示装置として備える電子機器について説明する。
図１０は、上記実施形態に係る液晶装置１００を有する携帯電話機の構成を示す斜視図で
ある。この図に示されるように、携帯電話機１２００は、利用者により操作される複数の
操作ボタン１２０２、他の端末装置から受信した音声を出力する受話口１２０４、および
他の端末装置に送信される音声を入力する送話口１２０６のほかに、各種の画像を表示す
る液晶装置１００を有する。
【００４０】
なお、本発明に係る電気光学装置が利用され得る電子機器としては、図１０に示される
携帯電話機のほかにも、ノート型のパーソナルコンピュータや、液晶テレビ、ビューファ
インダ型（またはモニタ直視型）のビデオレコーダ、カーナビゲーション装置、ページャ
、電子手帳、電卓、ワードプロセッサ、ワークステーション、テレビ電話、ＰＯＳ端末、
タッチパネルを備えた機器等などが挙げられる。
【図面の簡単な説明】
【００４１】
【図１】本発明の実施形態に係る液晶装置の構成を示すブロック図である。
【図２】同液晶装置を部分的に拡大して示す斜視図である。
【図３】走査線駆動回路の動作を説明するためのタイミングチャートである。
【図４】データ線駆動回路の動作を説明するためのタイミングチャートである。
【図５】パラメータ群の初期値により最適な駆動が実行される場合のリセット処理とオフシーケンス処理との時間的な関係を示すタイミングチャートである。
【図６】パラメータ群の初期値によっては最適な駆動が実行されない場合のリセット処理とオフシーケンス処理との時間的な関係を示すタイミングチャートである。
【図７】オフシーケンス処理にて生じ得る問題点を説明するための図である。
【図８】本実施形態におけるオフシーケンス処理にて各液晶容量に印加される電圧の極性を示す図である。
【図９】オフシーケンス処理のときの走査信号の波形を示すタイミングチャートである。
【図１０】本発明に係る電子機器の一例たる携帯電話機の構成を示す斜視図である。
【符号の説明】
【００４２】
１００……液晶装置、Ｐ……液晶パネル、１０……素子基板、１１……データ線、１３…
…画素電極、１５……ＴＦＤ素子、２０……対向基板、２１……走査線、３１……画素、
３３……液晶容量、３５……液晶、５１……データ線駆動回路（駆動回路）、５２……走
査線駆動回路（駆動回路）、６０……制御装置、６１……駆動制御手段、６３……パラメ
ータ管理手段、６５……レジスタ（記憶手段）、７１……ＥＥＰＲＯＭ、７５……電源回
路、８０……ＣＰＵ、Ｘj……データ信号、Ｙi……走査信号、ＲＥＳ……リセット信号。
【図１】
2005266573.tif 000003
【図２】
2005266573.tif 000004
【図３】
2005266573.tif 000005
【図４】
2005266573.tif 000006
【図５】
2005266573.tif 000007
【図６】
2005266573.tif 000008
【図７】
2005266573.tif 000009
【図８】
2005266573.tif 000010
【図９】
2005266573.tif 000011
【図１０】
2005266573.tif 000012